(57)【要約】【課題】脱臭ユニットの脱臭性能を向上させた衛生洗浄装置を提供する。【解決手段】ケーシングと、前記ケーシング内に設けられ、トイレルーム内の空気を脱臭する脱臭ユニットと、を備え、前記脱臭ユニットは、トイレルーム内の空気を吸引する送風部と、前記送風部が吸い込んだ空気を排気口に導くダクト部と、前記ダクト部内に設けられ、前記送風部により吸引された空気が通過する脱臭フィルタと、前記脱臭フィルタに水を供給する吐水部と、を有し、前記ダクト部は、前記脱臭フィルタに対して下方から上方に前記空気を通過させるとともに、前記脱臭フィルタの下方に前記空気を滞留させる滞留空間を有することを特徴とする衛生洗浄装置である。【選択図】図６
2018031209.tif 000002
【特許請求の範囲】
【請求項１】
ケーシングと、
前記ケーシング内に設けられ、トイレルーム内の空気を脱臭する脱臭ユニットと、
を備え、
前記脱臭ユニットは、
トイレルーム内の空気を吸引する送風部と、
前記送風部が吸い込んだ空気を排気口に導くダクト部と、
前記ダクト部内に設けられ、前記送風部により吸引された空気が通過する脱臭フィルタと、
前記脱臭フィルタに水を供給する吐水部と、
を有し、
前記ダクト部は、前記脱臭フィルタに対して下方から上方に前記空気を通過させるとともに、前記脱臭フィルタの下方に前記空気を滞留させる滞留空間を有することを特徴とする衛生洗浄装置。
【請求項２】
前記ダクト部は、前記脱臭フィルタから滴下した水を受け、前記滞留空間を形成する内壁面に水滴を付着させることを特徴とする請求項１記載の衛生洗浄装置。
【請求項３】
前記送風部は、前記脱臭フィルタよりも下方に配置されていることを特徴とする請求項１又は２に記載の衛生洗浄装置。
【請求項４】
前記ダクト部は、前記送風部が吸い込んだ空気を前記滞留空間に導く導入部を有し、
前記導入部と前記滞留空間との接続部において、前記導入部の幅方向の中心は、前記滞留空間の幅方向の中心に対して側方にずれていることを特徴とする請求項１〜３のいずれか１つに記載の衛生洗浄装置。
【請求項５】
前記ダクト部は、前記脱臭フィルタの上方に設けられた上方空間を有し、
前記滞留空間は、前記上方空間よりも広いことを特徴とする請求項１〜４のいずれか１つに記載の衛生洗浄装置。
【発明の詳細な説明】
【技術分野】
【０００１】
本発明の態様は、一般的に、衛生洗浄装置に関する。
【背景技術】
【０００２】
おしりなどの人体局部を洗浄する衛生洗浄装置において、トイレルーム内の空気を吸い込み、吸い込んだ空気に含まれる悪臭成分などを捕集又は分解して外部に吐き出すことにより、トイレルーム内の空気の脱臭を行う脱臭ユニットを設けることが行われている（例えば、特許文献１）。
【０００３】
脱臭ユニットは、脱臭フィルタと、脱臭フィルタに水を供給する吐水部と、を有し、水分を保持した状態の脱臭フィルタに空気を通過させる。これにより、空気中に含まれる悪臭成分などが、脱臭フィルタに保持された水分に取り込まれ、空気中に含まれる悪臭成分などを低減させることができる。衛生洗浄装置では、こうした脱臭ユニットの脱臭性能の向上が望まれる。
【先行技術文献】
【特許文献】
【０００４】
【特許文献１】特開２０１６−０９４７１１号公報
【発明の概要】
【発明が解決しようとする課題】
【０００５】
本発明は、かかる課題の認識に基づいてなされたものであり、脱臭ユニットの脱臭性能を向上させた衛生洗浄装置を提供することを目的とする。
【課題を解決するための手段】
【０００６】
第１の発明は、ケーシングと、前記ケーシング内に設けられ、トイレルーム内の空気を脱臭する脱臭ユニットと、を備え、前記脱臭ユニットは、トイレルーム内の空気を吸引する送風部と、前記送風部が吸い込んだ空気を排気口に導くダクト部と、前記ダクト部内に設けられ、前記送風部により吸引された空気が通過する脱臭フィルタと、前記脱臭フィルタに水を供給する吐水部と、を有し、前記ダクト部は、前記脱臭フィルタに対して下方から上方に前記空気を通過させるとともに、前記脱臭フィルタの下方に前記空気を滞留させる滞留空間を有することを特徴とする衛生洗浄装置である。
【０００７】
この衛生洗浄装置によれば、吸引したトイレルーム内の空気が、脱臭フィルタに保持された水と接触する接触時間を長くすることができる。これにより、脱臭ユニットの脱臭性能を向上させることができる。
【０００８】
第２の発明は、第１の発明において、前記ダクト部は、前記脱臭フィルタから滴下した水を受け、前記滞留空間を形成する内壁面に水滴を付着させることを特徴とする衛生洗浄装置である。
【０００９】
この衛生洗浄装置によれば、滞留空間に滞留する空気を内壁面に付着した水滴と接触させることで、空気と水との接触時間をより長くすることができる。脱臭ユニットの脱臭性能をより向上させることができる。
【００１０】
第３の発明は、第１又は第２の発明において、前記送風部は、前記脱臭フィルタよりも下方に配置されていることを特徴とする衛生洗浄装置である。
【００１１】
この衛生洗浄装置によれば、ダクト部及び脱臭フィルタに対して効率良く空気を送ることができる。効率的に脱臭を行うことができる。
【００１２】
第４の発明は、第１〜第３のいずれか１つの発明において、前記ダクト部は、前記送風部が吸い込んだ空気を前記滞留空間に導く導入部を有し、前記導入部と前記滞留空間との接続部において、前記導入部の幅方向の中心は、前記滞留空間の幅方向の中心に対して側方にずれていることを特徴とする衛生洗浄装置である。
【００１３】
この衛生洗浄装置によれば、滞留空間において、より空気を滞留させ易くすることができる。空気と水との接触時間をより長くし、脱臭ユニットの脱臭性能をより向上させることができる。
【００１４】
第５の発明は、第１〜第４のいずれか１つの発明において、前記ダクト部は、前記脱臭フィルタの上方に設けられた上方空間を有し、前記滞留空間は、前記上方空間よりも広いことを特徴とする衛生洗浄装置である。
【００１５】
この衛生洗浄装置によれば、滞留空間において空気をより滞留させ易くし、空気と水との接触時間をより長くすることができる。そして、上方空間においては、空気の滞留を抑制し、ケーシングの外部にすぐに排出することができる。これにより、脱臭ユニットの脱臭性能をより向上させることができる。
【発明の効果】
【００１６】
本発明の態様によれば、脱臭ユニットの脱臭性能を向上させた衛生洗浄装置が提供される。
【図面の簡単な説明】
【００１７】
【図１】実施形態にかかるトイレ装置及び衛生洗浄装置を表す斜視図である。
【図２】実施形態に係る衛生洗浄装置の要部構成を表すブロック図である。
【図３】実施形態に係る衛生洗浄装置を表す平面図である。
【図４】図４（ａ）及び図４（ｂ）は、実施形態に係る衛生洗浄装置を表す背面図である。
【図５】第１脱臭ユニット及び蓋部を表す断面図である。
【図６】第１脱臭ユニット及び蓋部を表す断面図である。
【図７】第１脱臭ユニットを表す断面図である。
【図８】図８（ａ）及び図８（ｂ）は、蓋部を表す断面図及び正面図である。
【発明を実施するための形態】
【００１８】
以下、実施形態について図面を参照しつつ説明する。なお、各図面中、同様の構成要素には同一の符号を付して詳細な説明は適宜省略する。  
図１は、実施形態にかかるトイレ装置及び衛生洗浄装置を表す斜視図である。  
図１に表したように、トイレ装置２は、洋式腰掛便器（以下説明の便宜上、単に「便器」と称する）４と、衛生洗浄装置１０と、を備える。衛生洗浄装置１０は、便器４の上に取り付けられる。衛生洗浄装置１０は、便器４に対して一体的に取り付けてもよいし、便器４に対して着脱可能に取り付けてもよい。
【００１９】
衛生洗浄装置１０は、本体部１２と、便座１４と、便蓋１６と、を有する。便蓋１６は、衛生洗浄装置１０に必要に応じて設けられ、省略可能である。便座１４と便蓋１６とは、本体部１２に対して回転可能に軸支されている。
【００２０】
ここで、本願明細書においては、便座１４に座った使用者からみて上方を「上方」とし、便座１４に座った使用者からみて下方を「下方」とする。また、開いた状態の便蓋１６に背を向けて便座１４に座った使用者からみて前方を「前方」とし、後方を「後方」とし、右側を「右側方」とし、左側を「左側方」とする。
【００２１】
便器４は、ボウル部４ａを有する。ボウル部４ａは、下方に凹む凹状である。便器４は、ボウル部４ａにおいて使用者の尿や便などの排泄物を受ける。
【００２２】
衛生洗浄装置１０の本体部１２は、便器４のボウル部４ａよりも後方の部分の上に取り付けられる。本体部１２は、ケーシング２０を有する。ケーシング２０は、ケースカバー２２を有する。本体部１２は、ケースカバー２２において、便座１４及び便蓋１６を回転可能に軸支する。
【００２３】
図２は、実施形態に係る衛生洗浄装置の要部構成を表すブロック図である。  
図２に表したように、衛生洗浄装置１０は、洗浄水供給部３０と、着座検知センサ３１と、人体検知センサ３２と、洗浄ノズル３４と、ノズル洗浄室３６と、噴霧ノズル３８と、第１脱臭ユニット４１と、第２脱臭ユニット４２と、制御部４４と、を有する。
【００２４】
着座検知センサ３１は、使用者が便座１４に着座する直前において便座１４の上方に存在する人体や、便座１４に着座した使用者を検知することができる。着座検知センサ３１は、便座１４に着座した使用者だけではなく、便座１４の上方に存在する使用者を検知してもよい。このような着座検知センサ３１としては、例えば、赤外線投受光式の測距センサを用いることができる。着座検知センサ３１は、使用者が着座した際の荷重によってＯＮ／ＯＦＦが行われるスイッチであってもよい。着座検知センサ３１は、使用者の着座の検知に応答して、着座の検知を表す信号を制御部４４に出力する。
【００２５】
人体検知センサ３２は、例えば赤外線信号を利用した焦電センサであり、トイレ装置２が設置された室内（以下、トイレルームと称す）に入室した入室者を検知する。人体検知センサ３２は、制御部４４に接続されている。人体検知センサ３２は、検知結果を制御部４４に入力する。
【００２６】
人体検知センサ３２は、例えばドップラーセンサなどのマイクロ波センサであってもよい。マイクロ波のドップラー効果を利用したセンサや、マイクロ波を送信し反射したマイクロ波の振幅（強度）に基づいて被検知体を検出するセンサなどを人体検知センサ３２として用いた場合には、人体検知センサ３２は、トイレルームのドア越しに使用者の存在を検知することが可能となる。つまり、人体検知センサ３２は、トイレルームに入室する前の使用者を検知することができる。
【００２７】
制御部４４は、洗浄水供給部３０、人体検知センサ３２、洗浄ノズル３４、ノズル洗浄室３６、噴霧ノズル３８、第１脱臭ユニット４１、及び第２脱臭ユニット４２のそれぞれの動作を制御する。制御部４４は、例えば、操作部４５から入力される操作指示に応じて、各部の動作を制御する。操作部４５は、本体部１２に設けてもよいし、本体部１２とは別に設けてもよい。操作部４５は、いわゆるリモコンでもよい。制御部４４と操作部４５との間の通信は、有線でもよいし、無線でもよい。
【００２８】
洗浄水供給部３０は、流路開閉弁５０と、熱交換器５１と、電解槽５２と、大気解放式のバキュームブレーカ（ＶＢ）５３と、電磁ポンプ５４と、流調・流路切替弁５５と、を有する。
【００２９】
流路開閉弁５０は、開閉可能な電磁バルブであり、制御部４４からの指令に基づいて洗浄水の供給を制御する。流路開閉弁５０は、給水源から供給される洗浄水の給水と止水とを切り替える。
【００３０】
熱交換器５１は、流路開閉弁５０の下流に設けられている。熱交換器５１は、ヒータにより、給水源から供給された洗浄水を加熱して例えば規定の温度まで昇温させる。熱交換器５１は、給水源から供給された洗浄水を、設定された温度の温水に変換する。以下、本願明細書において、「洗浄水」は、給水源から供給された水（冷水）と、熱交換器５１によって温められた温水と、を含むものとする。
【００３１】
熱交換器５１は、例えばセラミックヒータなどを用いた瞬間加熱式（瞬間式）の熱交換器でもよいし、貯湯タンクを用いた貯湯加熱式の熱交換器でもよい。使用者は、操作部４５を操作することにより温水温度を設定することができる。
【００３２】
電解槽５２は、熱交換器５１の下流に設けられている。電解槽５２は、一対の電極を有し、制御部４４から送信された通電の制御信号に基づいて、電極間に流れる洗浄水（水道水）を電気分解する。電解槽５２は、洗浄水に含まれる塩素イオンを電気分解することにより、次亜塩素酸（ＨＣｌＯ）を含む液（以下、「機能水」と称する）を生成する。
【００３３】
バキュームブレーカ５３は、電解槽５２の下流に設けられている。バキュームブレーカ５３は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ５３は、給水源から洗浄ノズル３４へと至る水路に水の流れが無い時に、水路内に空気を取り込む。弁機構には、例えば、フロート弁が用いられる。
【００３４】
バキュームブレーカ５３は、上記のように水路内に空気を取り込むことにより、例えば、水路のバキュームブレーカ５３よりも下流の部分の水抜きを促進させる。バキュームブレーカ５３は、例えば、洗浄ノズル３４の水抜きを促進する。このように、バキュームブレーカ５３は、洗浄ノズル３４内の水を抜いて洗浄ノズル３４内に空気を取り込むことにより、例えば、洗浄ノズル３４内の洗浄水やボウル部４ａ内に溜まった汚水などが、給水源（上水）側に逆流してしまうことを抑制する。
【００３５】
電磁ポンプ５４は、バキュームブレーカ５３の下流に設けられている。電磁ポンプ５４は、水路内の水の流れに脈動または加速を与え、洗浄ノズル３４から吐水される水に脈動を与える。すなわち、電磁ポンプ５４は、水路内を流れる水の流動状態を変動させる。電磁ポンプ５４は、制御部４４に接続されている。電磁ポンプ５４は、制御部４４による制御に基づいて、水の流動状態を変動させる。本願明細書において「脈動」とは、電磁ポンプ５４により生ずる水路内の圧力の変動のことである。電磁ポンプ５４は、水路内の水の圧力を変動させる。
【００３６】
洗浄ノズル３４は、吐水部３５を有する。吐水部３５は、例えば、おしり洗浄吐水孔３５ａと、おしりソフト吐水孔３５ｂと、ビデ洗浄吐水孔３５ｃと、を有する。
【００３７】
また、洗浄ノズル３４は、おしり洗浄流路ＦＣ１と、おしりソフト流路ＦＣ２と、ビデ洗浄流路ＦＣ３と、ワイドビデ洗浄流路ＦＣ４と、を有する。おしり洗浄流路ＦＣ１は、おしり洗浄吐水孔３５ａに接続され、おしり洗浄吐水孔３５ａに洗浄水又は機能水を供給する。おしりソフト流路ＦＣ２は、おしりソフト吐水孔３５ｂに接続され、おしりソフト吐水孔３５ｂに洗浄水又は機能水を供給する。ビデ洗浄流路ＦＣ３及びワイドビデ洗浄流路ＦＣ４は、ビデ洗浄吐水孔３５ｃに接続され、ビデ洗浄吐水孔３５ｃに洗浄水又は機能水を供給する。但し、洗浄ノズル３４が有する吐水孔及び流路は、これだけには限定されない。吐水孔の数は、上記のように流路の数と一致していなくてもよいし、流路の数と同じでもよい。また、同一の孔で複数の洗浄吐水孔を共有してもよい。
【００３８】
洗浄ノズル３４へ送られた洗浄水又は機能水は、吐水部３５から上方に向かって吐水される。吐水部３５から吐水された洗浄水は、便座１４に着座した使用者の局部洗浄などに用いられる。また、洗浄ノズル３４においては、ビデ洗浄流路ＦＣ３からビデ洗浄吐水孔３５ｃに洗浄水を供給することにより、ビデ洗浄が行われ、ワイドビデ洗浄流路ＦＣ４からビデ洗浄吐水孔３５ｃに洗浄水を供給することにより、ワイドビデ洗浄が行われる。機能水は、各吐水孔３５ａ〜３５ｃ、及び各吐水孔３５ａ〜３５ｃへと至る流路の洗浄などに用いられる。このように、洗浄ノズル３４は、４つの流路ＦＣ１〜ＦＣ４を有し、４つの流路ＦＣ１〜ＦＣ４のそれぞれから供給された洗浄水又は機能水を吐水可能に構成されている。
【００３９】
流調・流路切替弁５５は、電磁ポンプ５４と洗浄ノズル３４との間に設けられている。流調・流路切替弁５５は、電磁ポンプ５４を介して供給された洗浄水又は機能水の行き先を、おしり洗浄流路ＦＣ１、おしりソフト流路ＦＣ２、ビデ洗浄流路ＦＣ３、ワイドビデ洗浄流路ＦＣ４、ノズル洗浄室３６、噴霧ノズル３８、及び脱臭ユニット４０のいずれかに切り替える。また、流調・流路切替弁５５は、洗浄ノズル３４の各吐水孔３５ａ〜３５ｃから吐水する洗浄水の吐水流量を変更する。
【００４０】
ノズル洗浄室３６は、吐水部３６ａを有する。ノズル洗浄室３６は、吐水部３６ａから洗浄水又は機能水を吐水することにより、洗浄ノズル３４の外面の洗浄、即ち胴体洗浄を行う。
【００４１】
噴霧ノズル３８は、便器４のボウル部４ａの表面に洗浄水又は機能水を噴霧する。噴霧ノズル３８は、ケーシング２０の内部に設けてもよいし、ケーシング２０の外部に取り付けてもよい。
【００４２】
制御部４４は、例えば、人体検知センサ３２による使用者の入室の検知に応答して、噴霧ノズル３８から便器４のボウル部４ａの表面に水滴を噴霧する。すなわち、制御部４４は、使用者が便器４を使用する前に、便器４のボウル部４ａの表面を水滴で濡らす。これにより、ボウル部４ａの表面に付着する汚物を軽減させることができる。
【００４３】
また、制御部４４は、例えば、人体検知センサ３２がトイレルーム内の使用者を検知しなくなってから所定時間（例えば、９０秒後）が経過した際に、噴霧ノズル３８から便器４のボウル部４ａの表面に機能水を噴霧する。すなわち、制御部４４は、使用者が汚物を流し便器４の使用を終了した後に、ボウル部４ａの表面を機能水（次亜塩素酸水）で濡らす。これにより、悪臭のもとになる菌が、ボウル部４ａにおいて増えてしまうことを抑えることができる。便器４から悪臭が放出されることを抑えることができる。
【００４４】
第２脱臭ユニット４２は、ケーシング２０内に設けられる。第２脱臭ユニット４２は、便器４のボウル部４ａ内の空気を吸引し、吸引した空気に含まれる悪臭成分などを低減させた後、ケーシング２０の外に排出することにより、ボウル部４ａ内の空気を脱臭する。第２脱臭ユニット４２は、制御部４４に接続され、制御部４４の制御に基づいて、ボウル部４ａ内の空気の脱臭を行う。制御部４４は、例えば、使用者が便座１４から離れたことを着座検知センサ３１が検知した際に、第２脱臭ユニット４２を所定時間動作させる。
【００４５】
第１脱臭ユニット４１は、ケーシング２０内に設けられる。第１脱臭ユニット４１は、トイレルーム内の空気を吸い込む。トイレルーム内の空気とは、主として便器４の外部の空気（ボウル部４ａ内以外の空気）をいう。第１脱臭ユニット４１は、吸い込んだ空気に含まれる悪臭成分などを捕集又は分解する。「悪臭成分」は、例えば、アンモニアやトリメチルアミンなどの成分である。第１脱臭ユニット４１は、悪臭成分などを捕集又は分解した空気を、ケーシング２０の外部（トイレルーム）に吐き出す。これにより、第１脱臭ユニット４１は、トイレルーム内の空気を脱臭する。
【００４６】
第１脱臭ユニット４１は、集塵フィルタ６０と、ファン（送風部）６１と、脱臭フィルタ６２と、噴霧部６３（吐水部）と、ダクト部６４と、吸気口６５と、排気口６６と、を有する。
【００４７】
ファン６１は、吸気口６５からトイレルーム内の空気を吸い込む。ダクト部６４は、ファン６１が吸い込んだ空気を排気口６６に導く。ファン６１の駆動にともなって吸い込まれた空気は、ダクト部６４を介して排気口６６からトイレルームへ吐き出される。集塵フィルタ６０は、ファン６１よりも上流側に設けられ、吸い込んだ空気に含まれる塵や埃などが、ファン６１へ送られることを抑制する。
【００４８】
脱臭フィルタ６２は、ダクト部６４内に設けられる。脱臭フィルタ６２は、ダクト部６４内において、ファン６１と排気口６６との間に配置される。噴霧部６３は、脱臭フィルタ６２よりも上方に設けられている。噴霧部６３は、制御部４４の制御に基づいて、流調・流路切替弁５５から供給された洗浄水又は機能水を、脱臭フィルタ６２の上方から脱臭フィルタ６２に向けて噴霧する。これにより、噴霧部６３は、脱臭フィルタ６２に水を供給する。
【００４９】
脱臭フィルタ６２は、例えば、多孔質構造を有し、噴霧部６３から噴霧された洗浄水又は機能水を保持する。なお、脱臭フィルタ６２への水の供給は、噴霧に限ることなく、洗浄水又は機能水の吐止水を制御可能な任意の吐水形態でよい。
【００５０】
ファン６１が作動すると、吸気口６５から吸い込まれたトイレルーム内の空気が、脱臭フィルタ６２内を通過する。脱臭フィルタ６２が水分を保持した状態において、空気が脱臭フィルタ６２内を通過すると、空気の中に含まれる悪臭成分などが、脱臭フィルタ６２に保持された水分に取り込まれる。例えば、空気中に含まれるアンモニア（ＮＨ３）が、脱臭フィルタ６２に保持された水分に溶解する。これにより、空気中に含まれる悪臭成分などを低減させることができる。
【００５１】
悪臭成分などが低減された空気は、排気口６６からトイレルームへ排出される。このように、第１脱臭ユニット４１は、トイレルーム内に常在する悪臭成分などを捕集又は分解することができる。よって、使用者は、トイレルームに入室する際に、トイレルーム内に常在する悪臭成分による臭気を吸う可能性が低くなり、快適にトイレルームを利用できる。
【００５２】
制御部４４は、例えば、使用者のトイレ装置２の使用頻度の低い時間帯においては、ファン６１の動作を停止させる。そして、制御部４４は、使用者のトイレ装置２の使用頻度の高い時間帯においては、ファン６１を動作させるとともに、定期的に噴霧部６３を動作させ、脱臭フィルタ６２に水分を保持させる。
【００５３】
これにより、使用者がトイレルームに入室する可能性が高い時間帯において、トイレルーム内に常在する臭気を取り除くことができる。したがって、使用者が、トイレルーム内に常在する臭気を吸うことで、不快感を感じることを抑制することができる。
【００５４】
脱臭フィルタ６２は、ダクト部６４に着脱可能に取り付けられる。換言すれば、ダクト部６４は、脱臭フィルタ６２を着脱可能に保持する。脱臭フィルタ６２は、ケーシング２０の外側から着脱可能である。これにより、例えば、吸い込んだ空気に含まれる紙粉などの汚れや、水を噴霧することで発生するスケールなどが、脱臭フィルタ６２に付着した場合に、脱臭フィルタ６２を取り外して洗浄することができる。このように、衛生洗浄装置１０では、脱臭フィルタ６２のメンテナンスを容易に行うことができ、第１脱臭ユニット４１の性能の低下を抑制することができる。
【００５５】
図３は、実施形態に係る衛生洗浄装置を表す平面図である。  
図３は、ケースカバー２２を省略した状態の衛生洗浄装置１０の平面図を表している。  図３に表したように、ケーシング２０は、ベースプレート２４をさらに有する。ベースプレート２４は、ケースカバー２２の下端を塞ぐ。換言すれば、ケースカバー２２は、ベースプレート２４の上に取り付けられる。衛生洗浄装置１０において、洗浄ノズル３４、第１脱臭ユニット４１、第２脱臭ユニット４２、制御部４４、流路開閉弁５０、熱交換器５１、電解槽５２、バキュームブレーカ５３、電磁ポンプ５４、及び流調・流路切替弁５５などの各部は、ベースプレート２４の上に取り付けられる。
【００５６】
この例において、衛生洗浄装置１０は、温風乾燥ユニット４３をさらに有する。温風乾燥ユニット４３は、便座１４に座った使用者の人体局部（「おしり」など）に向けて温風を吹き出すことにより、洗浄で濡れた使用者の人体局部を乾燥させる。温風乾燥ユニット４３は、制御部４４に接続され、制御部４４からの指令に基づいて温風の吹き出しと停止を切り替え、温風の温度を変化させる。温風乾燥ユニット４３は、必要に応じて設けられ、省略可能である。
【００５７】
洗浄ノズル３４は、ベースプレート２４の左右方向の略中央に設けられる。温風乾燥ユニット４３は、例えば、洗浄ノズル３４に隣接して設けられる。第２脱臭ユニット４２は、例えば、温風乾燥ユニット４３に隣接して設けられる。第１脱臭ユニット４１は、例えば、第２脱臭ユニット４２に隣接して設けられる。
【００５８】
このように、第２脱臭ユニット４２は、ケーシング２０内において、第１脱臭ユニット４１と並べて設けられる。第２脱臭ユニット４２の排気口４２ａは、第１脱臭ユニット４１の排気口６６と並べて設けられる。
【００５９】
この例では、各排気口４２ａ、６６が、後方を向いて設けられ、左右方向に並べて配置されている。各排気口４２ａ、６６は、ケースカバー２２の内面に近接して配置される。各排気口４２ａ、６６は、例えば、側方に向けて設け、前後方向に並べて配置してもよい。各排気口４２ａ、６６は、例えば、上下方向に重ねて配置してもよい。
【００６０】
また、各排気口４２ａ、６６は、必ずしも並んでいなくてもよい。例えば、第２脱臭ユニット４２の排気口４２ａは、後方に向けて設け、第１脱臭ユニット４１の排気口６６は、側方に向けて設けてもよい。また、各排気口４２ａ、６６を並べて設ける場合、第１脱臭ユニット４１及び第２脱臭ユニット４２は、必ずしも隣接していなくてもよい。例えば、第１脱臭ユニット４１及び第２脱臭ユニット４２は、離間して配置し、ダクトなどを介して各排気口４２ａ、６６のみを並べて配置してもよい。第１脱臭ユニット４１、第２脱臭ユニット４２、及び温風乾燥ユニット４３の配置は、上記に限ることなく、任意の配置でよい。
【００６１】
第２脱臭ユニット４２は、脱臭触媒や脱臭フィルタなどの脱臭部材４２ｂを有する。第２脱臭ユニット４２は、吸い込んだ空気を脱臭部材４２ｂに通すことにより、吸い込んだ空気に含まれる悪臭成分などを低減させる。脱臭部材４２ｂは、第２脱臭ユニット４２に着脱可能に取り付けられる。これにより、脱臭部材４２ｂの清掃や交換などのメンテナンスを容易に行うことができる。脱臭部材４２ｂは、例えば、排気口４２ａと対向した状態で取り付けられ、排気口４２ａを介して着脱される。
【００６２】
図４（ａ）及び図４（ｂ）は、実施形態に係る衛生洗浄装置を表す背面図である。  
図４（ａ）及び図４（ｂ）に表したように、ケーシング２０は、開口部２０ａと、蓋部２６と、を有する。開口部２０ａは、第１脱臭ユニット４１の排気口６６と対向するとともに、第２脱臭ユニット４２の排気口４２ａと対向して設けられる。この例において、開口部２０ａは、ケーシング２０の背面に設けられる。例えば、各排気口４２ａ、６６が側方を向いて設けられる場合には、開口部２０ａは、ケーシング２０の側面に設けられる。
【００６３】
蓋部２６は、開口部２０ａに着脱可能に取り付けられる。蓋部２６は、開口部２０ａに取り付けられた状態において、開口部２０ａを塞ぐ。図４（ａ）は、蓋部２６が取り付けられた状態を表し、図４（ｂ）は、蓋部２６が取り外された状態を表している。
【００６４】
蓋部２６は、第１脱臭ユニット４１から吐き出された空気を通過させる通気孔２６ａと、第２脱臭ユニット４２から吐き出された空気を通過させる通気孔２６ｂと、を有する。各脱臭ユニット４１、４２から吐き出された空気は、各通気孔２６ａ、２６ｂを介してケーシング２０の外部に排出される。
【００６５】
蓋部２６は、例えば、複数の通気孔２６ａと、複数の通気孔２６ｂと、を有する。各通気孔２６ａは、水平方向に延びるルーバ２６ｃによって仕切られる。同様に、各通気孔２６ｂは、水平方向に延びるルーバ２６ｄによって仕切られる。各ルーバ２６ｃ、２６ｄは、例えば、後方（ケーシング２０の外側）に向かって下降傾斜する平板状であり、各脱臭ユニット４１、４２から吐き出された空気を下方に向けて整流する。各ルーバ２６ｃ、２６ｄは、換言すれば、ガラリである。
【００６６】
図５及び図６は、第１脱臭ユニット及び蓋部を表す断面図である。  
図５は、第１脱臭ユニット４１及び蓋部２６を上方から見た状態を表す。  
図６は、第１脱臭ユニット４１及び蓋部２６を側方から見た状態を表す。  
図６は、図５のＡ１−Ａ２線断面を表し、図５は、図６のＢ１−Ｂ２線断面を表す。  
図５及び図６に表したように、脱臭フィルタ６２は、排気口６６と対向してダクト部６４内に保持される。すなわち、脱臭フィルタ６２は、ケーシング２０の開口部２０ａと対向してダクト部６４内に保持される。これにより、脱臭フィルタ６２は、蓋部２６を取り外すことで、開口部２０ａ及び排気口６６を介してケーシング２０の外側から着脱することができる。
【００６７】
この例では、脱臭フィルタ６２の全体が、開口部２０ａ及び排気口６６と対向する。これにより、脱臭フィルタ６２を着脱し易くすることができる。但し、脱臭フィルタ６２は、必ずしもその全体が、開口部２０ａ及び排気口６６と対向いていなくてもよい。すなわち、脱臭フィルタ６２の少なくとも一部が、開口部２０ａ及び排気口６６と対向していればよい。
【００６８】
このように、脱臭フィルタ６２は、蓋部２６を取り外すことで、開口部２０ａ及び排気口６６から着脱可能となる。衛生洗浄装置１０では、ケーシング２０の排気用の開口部２０ａが、脱臭フィルタ６２を着脱するための開口を兼ねる。これにより、脱臭フィルタ６２を着脱するための機構を別途設ける必要をなくすことができる。例えば、脱臭フィルタ６２を着脱するための開口を別途設ける場合と比べて、衛生洗浄装置１０の美観を向上させることができる。
【００６９】
また、第２脱臭ユニット４２では、前述のように、脱臭部材４２ｂの着脱が行われる。衛生洗浄装置１０では、開口部２０ａが、第１脱臭ユニット４１の排気口６６と対向するとともに、第２脱臭ユニット４２の排気口４２ａと対向する。すなわち、開口部２０ａは、第２脱臭ユニット４２から吐き出された空気の排気、及び脱臭部材４２ｂの着脱も兼ねる。これにより、衛生洗浄装置１０では、例えば、第２脱臭ユニット４２の排気口４２ａを塞ぐ蓋部を別途設ける場合と比べて、部品点数を削減することができる。例えば、衛生洗浄装置１０の製造コストを抑えることができる。例えば、蓋部を複数設ける場合と比べて、衛生洗浄装置１０の美観をより向上させることができる。
【００７０】
脱臭フィルタ６２は、フィルタ本体７０と、ケース部７２と、を有する。フィルタ本体７０は、例えば、格子状に形成され、複数の貫通孔７０ａを有する。フィルタ本体７０には、例えば、セラミックスなどが用いられる。ケース部７２は、フィルタ本体７０を囲む枠状であり、フィルタ本体７０を保持する。ケース部７２には、例えば、樹脂材料などが用いられる。
【００７１】
脱臭フィルタ６２は、各貫通孔７０ａが上下方向に向いた状態で、ダクト部６４内に保持される。従って、脱臭フィルタ６２は、上下方向に空気を通過させる。
【００７２】
第１脱臭ユニット４１は、吸気口６５を下方に向けて配置する。ファン６１は、ケースカバー２２の側面下部に設けられた吸気開口２２ａ（図１参照）及び吸気口６５を介して下方から空気を吸引し、吸引した空気を後方に向けて排出する。ファン６１には、例えば、シロッコファンが用いられる。
【００７３】
ダクト部６４は、ファン６１から排出された空気を後方に導き、下方から上方に向かって脱臭フィルタ６２に空気を通過させる。そして、ダクト部６４は、脱臭フィルタ６２を通過した空気をさらに後方に導き、排気口６６、及び蓋部２６の通気孔２６ａを介して空気をケーシング２０の外部に排出する。
【００７４】
このように、第１脱臭ユニット４１は、ケーシング２０の側方から吸い込んだ空気を後方に排出する。第１脱臭ユニット４１の吸気及び排気の位置は、上記に限ることなく、ケーシング２０の任意の位置でよい。例えば、ケーシング２０の側方から吸い込んだ空気を、脱臭した後、再びケーシング２０の側方に排出してもよい。
【００７５】
ファン６１は、脱臭フィルタ６２よりも下方に配置されている。これにより、脱臭フィルタ６２に対して下方から上方に空気を通過させる際に、ダクト部６４及び脱臭フィルタ６２に対して効率良く空気を送ることができる。これにより、効率的に脱臭を行うことができる。例えば、ダクト部６４の形状を簡単にし、装置を小型化でき、製造コストを抑えることもできる。
【００７６】
また、ファン６１は、脱臭フィルタ６２に対して側方にずらして配置されている。換言すれば、ファン６１は、上下方向において、脱臭フィルタ６２と重ならない。これにより、ファン６１を脱臭フィルタ６２よりも下方に配置した場合にも、噴霧部６３から噴霧された洗浄水又は機能水がファン６１にかかってしまうことを抑制することができる。例えば、ファン６１に水がかかり、ファン６１の劣化や故障の要因となることを抑制することができる。
【００７７】
ダクト部６４は、滞留空間６４ａと、上方空間６４ｂと、を有する。滞留空間６４ａは、脱臭フィルタ６２の下方に設けられ、ファン６１によって吸い込まれた空気を脱臭フィルタ６２の下方において一時的に滞留させる。脱臭フィルタ６２では、ダクト部６４に比べて空気が流れ難い。従って、脱臭フィルタ６２の上流に位置する滞留空間６４ａでは、他の部分に比べて空気が滞留し易い。
【００７８】
また、ダクト部６４は、脱臭フィルタ６２から滴下した水滴を受け、滞留空間６４ａを形成する内壁面６４ｎに水滴ＷＤを付着させる。すなわち、噴霧部６３から脱臭フィルタ６２に水を供給した場合、脱臭フィルタ６２が水分を保持するとともに、滞留空間６４ａの内壁面６４ｎも濡れ、内壁面６４ｎも水分を保持する。
【００７９】
上方空間６４ｂは、脱臭フィルタ６２の上方に設けられている。滞留空間６４ａは、上方空間６４ｂよりも広い。換言すれば、滞留空間６４ａの体積は、上方空間６４ｂの体積よりも大きい。
【００８０】
脱臭フィルタ６２においては、重力により、上方の部分よりも下方の部分の方が水分が多くなる。このため、脱臭フィルタ６２に対して下方から上方に空気を通過させるとともに、脱臭フィルタ６２の下方の滞留空間６４ａにおいて一時的に空気を滞留させる。これにより、脱臭フィルタ６２を通過する時間に加え、滞留空間６４ａで滞留する時間においても、空気を水と接触させることができる。また、この際、脱臭フィルタ６２の底面は、脱臭フィルタ６２の上面と比べて水分が多い。従って、例えば、脱臭フィルタ６２に対して上方から下方に空気を通過させる場合と比べて、吸い込まれた空気が水と接触する接触時間を長くすることができる。これにより、第１脱臭ユニット４１の脱臭性能を向上させることができる。
【００８１】
また、脱臭フィルタ６２に上方から水を供給することにより、滞留空間６４ａを形成する内壁面６４ｎに水滴ＷＤが付着する。これにより、滞留空間６４ａに滞留する空気を内壁面６４ｎに付着した水滴ＷＤと接触させることで、空気と水との接触確率を高めることができる。第１脱臭ユニット４１の脱臭性能をより向上させることができる。
【００８２】
また、脱臭フィルタ６２に対して下方から上方に空気を通過させる場合に、滞留空間６４ａを、上方空間６４ｂよりも広くする。これにより、滞留空間６４ａにおいて空気をより滞留させ易くし、空気と水との接触時間をより長くすることができる。そして、上方空間６４ｂでの空気の滞留を抑制し、ケーシング２０の外部にすぐに排出することができる。これにより、第１脱臭ユニット４１の脱臭性能をより向上させることができる。
【００８３】
また、脱臭フィルタ６２を通過した空気は、脱臭フィルタ６２の各貫通孔７０ａによって整流される。これにより、上方空間６４ｂでの空気の滞留を、より抑制することができる。
【００８４】
図７は、第１脱臭ユニットを表す断面図である。  
図７は、図６のＣ１−Ｃ２線断面を表す。  
図７に表したように、ダクト部６４は、導入部６４ｃを有する。導入部６４ｃは、ファン６１が吸い込んだ空気を滞留空間６４ａに導く。導入部６４ｃと滞留空間６４ａとの接続部において、導入部６４ｃの幅方向の中心ＣＴ１は、滞留空間６４ａの幅方向の中心ＣＴ２に対して側方にずれている。導入部６４ｃは、例えば、滞留空間６４ａに対して接線方向に延びる。
【００８５】
このように、導入部６４ｃの中心ＣＴ１を、滞留空間６４ａの中心ＣＴ２とずらす。これにより、滞留空間６４ａにおいて空気をより滞留させ易くすることができる。例えば、図７において矢線で表したように、ダクト部６４の内側面６４ｓ（内壁面６４ｎ）に沿って空気を旋廻させることができる。これにより、空気と水との接触時間をより長くし、第１脱臭ユニット４１の脱臭性能をより向上させることができる。
【００８６】
ダクト部６４の内側面６４ｓの一部は、円弧状に湾曲する。これにより、空気をより旋廻させ易くすることができる。また、ファン６１にシロッコファンを用いた場合、図７に矢線の大きさで表したように、回転するロータの外周側の方が、内周側よりも風が強くなる。この場合には、ファン６１のロータの外周側から吹き出された風が、ダクト部６４の内側面６４ｓに沿うように、ファン６１を配置する。これにより、空気をさらに旋廻させ易くすることができる。空気と水との接触時間をより長くし、第１脱臭ユニット４１の脱臭性能をより向上させることができる。
【００８７】
図５及び図６に表したように、蓋部２６は、突起部２７を有する。突起部２７は、蓋部２６が開口部２０ａに取り付けられた状態において、ケーシング２０内に向かって延びる。突起部２７は、脱臭フィルタ６２が適切な固定位置（図５及び図６に表した位置）よりも排気口６６側に位置した状態で、蓋部２６の取り付けが行われた場合に、先端を脱臭フィルタ６２に当接させることにより、脱臭フィルタ６２を適切な固定位置に誘導する。すなわち、突起部２７は、脱臭フィルタ６２が手前側に取り付けられた場合に、蓋部２６の取り付けに応じて脱臭フィルタ６２を押し込むことにより、脱臭フィルタ６２を適切な固定位置に移動させる。
【００８８】
ケーシング２０は、封止部材２８をさらに有する。封止部材２８は、第１脱臭ユニット４１の排気口６６と蓋部２６との間に設けられる。封止部材２８は、例えば、第１脱臭ユニット４１の排気口６６に沿う環状である。封止部材２８は、スポンジ状（多孔質状）である。封止部材２８は、排気口６６と蓋部２６との間に挟まれて弾性変形することにより、排気口６６と蓋部２６との間に空く隙間を埋める。
【００８９】
突起部２７は、蓋部２６が開口部２０ａに取り付けられた状態において、封止部材２８の下端部２８ｂと噴霧部６３との間に位置する。これにより、噴霧部６３から噴霧された水が、封止部材２８の下端部２８ｂにかかってしまうことを抑制することができる。
【００９０】
図８（ａ）及び図８（ｂ）は、蓋部を表す断面図及び正面図である。  
図８（ｂ）は、蓋部２６の一部を拡大して表す正面図である。  
図８（ａ）は、図８（ｂ）のＤ１−Ｄ２線断面を表す断面図である。  
図８（ａ）及び図８（ｂ）に表したように、蓋部２６の突起部２７の上面２７ｕは、ケーシング２０内に向かう方向（この例では前方）において下降傾斜している。
【００９１】
これにより、噴霧部６３から噴霧された水が突起部２７にかかった場合にも、突起部２７にかかった水を適切に排水することができる。例えば、突起部２７にかかった水をベースプレート２４に滴下させ、ケーシング２０内の電気部品などに不意に水がかかってしまうことを抑制することができる。
【００９２】
また、突起部２７の上面２７ｕは、幅方向の中央に向かって下降傾斜している。これにより、突起部２７にかかった水を突起部２７の幅方向の中央部に集め、より適切に排水することができる。なお、「幅方向」とは、より詳しくは、突起部２７のケーシング２０内に向かう方向及び上下方向と直交する方向である。この例において、幅方向は、左右方向である。
【００９３】
また、突起部２７の先端には、切り欠き２７ａが設けられている。これにより、脱臭フィルタ６２を固定位置に適切に誘導しつつ、突起部２７にかかった水を切り欠き２７ａから、より適切に排水することができる。
【００９４】
以上、説明したように、本実施形態に係る衛生洗浄装置１０では、ダクト部６４が、脱臭フィルタ６２に対して下方から上方に空気を通過させるとともに、脱臭フィルタ６２の下方に空気を滞留させる滞留空間６４ａを有する。これにより、吸引したトイレルーム内の空気が、脱臭フィルタ６２に保持された水と接触する接触時間を長くすることができる。これにより、第１脱臭ユニット４１の脱臭性能を向上させることができる。
【００９５】
また、衛生洗浄装置１０では、ダクト部６４が、脱臭フィルタ６２から滴下した水を受け、滞留空間６４ａを形成する内壁面６４ｎに水滴を付着させる。これにより、滞留空間６４ａに滞留する空気を内壁面６４ｎに付着した水滴と接触させることで、空気と水との接触時間をより長くすることができる。第１脱臭ユニット４１の脱臭性能をより向上させることができる。
【００９６】
また、衛生洗浄装置１０では、ファン６１が、脱臭フィルタ６２よりも下方に配置されている。これにより、ダクト部６４及び脱臭フィルタ６２に対して効率良く空気を送ることができる。効率的に脱臭を行うことができる。
【００９７】
また、衛生洗浄装置１０では、導入部６４ｃの幅方向の中心ＣＴ１が、滞留空間６４ａの幅方向の中心ＣＴ２に対して側方にずれている。これにより、滞留空間６４ａにおいて、より空気を滞留させ易くすることができる。空気と水との接触時間をより長くし、第１脱臭ユニット４１の脱臭性能をより向上させることができる。
【００９８】
また、衛生洗浄装置１０では、滞留空間６４ａが、上方空間６４ｂよりも広い。これにより、滞留空間６４ａにおいて空気をより滞留させ易くし、空気と水との接触時間をより長くすることができる。そして、上方空間６４ｂにおいては、空気の滞留を抑制し、ケーシング２０の外部にすぐに排出することができる。これにより、第１脱臭ユニット４１の脱臭性能をより向上させることができる。
【００９９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置２や衛生洗浄装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１００】
２ トイレ装置、  ４ 便器、  １０ 衛生洗浄装置、  １２ 本体部、  １４ 便座、  １６ 便蓋、  ２０ ケーシング、  ２２ ケースカバー、  ２４ ベースプレート、  ２６ 蓋部、  ２７ 突起部、  ２８ 封止部材、  ３０ 洗浄水供給部、  ３１ 着座検知センサ、  ３２ 人体検知センサ、  ３４ 洗浄ノズル、  ３５ 吐水部、  ３６ ノズル洗浄室、  ３８ 噴霧ノズル、  ４１ 第１脱臭ユニット、  ４２ 第２脱臭ユニット、  ４３ 温風乾燥ユニット、  ４４ 制御部、  ４５ 操作部、  ５０ 流路開閉弁、  ５１ 熱交換器、  ５２ 電解槽、  ５３ バキュームブレーカ、  ５４ 電磁ポンプ、  ５５ 流調・流路切替弁、  ６０ 集塵フィルタ、  ６１ ファン、  ６２ 脱臭フィルタ、  ６３ 噴霧部、  ６４ ダクト部、  ６４ａ 滞留空間、  ６４ｂ 上方空間、  ６４ｃ 導入部、  ６５ 吸気口、  ６６ 排気口、  ７０ フィルタ本体、  ７２ ケース部
【図１】
2018031209.tif 000003
【図２】
2018031209.tif 000004
【図３】
2018031209.tif 000005
【図４】
2018031209.tif 000006
【図５】
2018031209.tif 000007
【図６】
2018031209.tif 000008
【図７】
2018031209.tif 000009
【図８】
2018031209.tif 000010